(57)【要約】【課題】帽子着用時、不用意に帽子が脱げてしまったり、飛んで行ってしまうことを防止できるようにする。【解決手段】上辺が開放状態の任意の帽子内縁に着脱する着脱具と、着脱具に設けられた耳紐と耳紐の長さを調整する耳紐調整機構とよりなり、帽子が頭より脱げ飛ぶことを防止できることを特徴とする耳紐調整帽子脱飛防止具である。【選択図】  図１
2006097215.tif 000002
【特許請求の範囲】
【請求項１】
下辺が帽子開口部に接続され、上辺が開放状態の任意の帽子内縁に着脱する着脱具と、着脱具に設けられた耳紐と耳紐の長さを調整する耳紐調整機構とよりなる帽子固定具。
【請求項２】
内縁に上方から取り付けた状態で、着脱具の下方位置で耳紐が取り付けられたものであることを特徴とする請求項１記載の帽子固定具。
【請求項３】
耳紐が伸縮するものであることを特徴とする請求項１又は２記載の帽子固定具。
【請求項４】
着脱具が使用時、頭の形に沿って撓む素材よりなるものであることを特徴とする請求項１、２又は３記載の帽子固定具。
【発明の詳細な説明】
【技術分野】
【０００１】  本発明は、頭にかぶった帽子が風等により脱げることのないようにするための耳紐調整帽子脱飛防止具に関するものである。
【背景技術】
【０００２】  従来、帽子が脱げないように、鋭いピンを使用し帽子をとめるものや、帽子に穴を開けその穴より、頭髪や耳の上部に鋏止めにして帽子と留める器具や、帽子に顎ひもを有するものや、頭囲のサイズ調節具にて帽子が脱げ飛んでいかないようにする帽子や、帽子と衣服を連結具で連結させ帽子が脱げても飛んでいかないようにするものがあった。
【特許文献１】特開平９−１８８９１４
【特許文献２】特開平６−３２２６０５
【特許文献３】特開平１０−３１０９２８
【特許文献４】特開２００１−２６２４１９
【発明の開示】
【発明が解決しようとする課題】
【０００３】  そのために、次のような問題点があった。
（イ）帽子をかぶっての外出の際、強風時や自転車乗車時に、衣服と帽子の連結具のみでは、帽子が頭より脱げてしまうので、その度に、脱げないように手で帽子を押さえたり、かぶりなおす手間がかかった。
（ロ）ピッタリ頭に密着した帽子をかぶることにより、ヘアースタイルが乱れるため、風で帽子が脱げてしまうことにより、その乱れたヘアースタイルが露出してしまう不安があった。
（ハ）帽子を鋭いピンで頭囲周辺に付属させ使用することは、はずれた時の危険があった。
（ニ）連結具取り付け用の穴の開いた専用の帽子のデザインだけでは、好みに合わない事や、持参の帽子に穴を開け、その穴より頭髪や耳に付属させるものは、持参の帽子に穴を開けることに抵抗があった。
（ホ）顎紐付きの帽子においては、外見を損なうことがあった。
本発明は、これらの問題点を解決するためになされたものである。
【課題を解決するための手段】
【０００４】  上辺が開放状態の任意の帽子内縁に着脱する着脱具と、着脱具に設けられた耳紐と耳紐の長さを調整する耳紐調整機構とよりなる帽子固定具。これにより、帽子が頭より脱げ飛ぶことを防止できる。以上を特徴とした、耳紐調整帽子脱飛防止具である。
【発明の効果】
【０００５】本発明を使用することで、強風時、自転車乗車時や、帽子のサイズが若干大きい時も、帽子が頭より脱げ飛んでゆくことがなく、帽子を手で抑える手間もいらず、付け外しも簡単で、女性の使用時にファッション性においても帽子の内側より耳にかけるので、帽子や頭髪により付属部がかくれ、顎紐のように目立つことなく使用できる。帽子内縁に本発明を取り付ける際に、上方より本体をはめ込み、下方に耳紐を有する取付部を設ける事により、帽子装着時に耳紐が下方に引っ張られても、内縁が反り返る事もなく帽子をかぶる事ができる。耳紐が伸縮し且、柔軟素材であるという事で、個々の耳の位置や大きさに合わせた、柔軟なサイズ調整と密着度が得られる事や、耳や頭、その周辺を傷つける心配も少なく安心して使用できる。
【発明を実施するための最良の形態】
【０００６】  以下、本発明の実施の形態について説明する。
（イ）柔軟素材でゴム状の挟持板（２ａ）、挟持板（２ｂ）と、連結板（３）とからなる突起部（５）を有するはさみ止本体（１）を設ける。このはさみ止本体（１）は、図２に示すように連結板（３）が開放端に向かうにつれて、幅が狭くなった形状で、手で力を加えることで図１に示すように、開放端が開くものである。
（ロ）はさみ止本体（１）の挟持板（２ａ）の下方に十字に切れ目（７）の入った、柔軟素材でゴム状のストッパー調整穴（６）を有するストッパー止穴取付部（８）を設ける。
（ハ）ストッパー止穴取付部（８）の下部に連結部（４）を用いて、柔軟で伸縮性を有するゴム状の耳紐（９）を連結し設ける。
（ニ）耳紐（９）の先端に柔軟素材でゴム状の可撓性を有するストッパー（１０）を設ける。このスットッパー（１０）は図１に示すように、耳紐（９）に交差する角度で等間隔で複数設けられたものである。
本発明は以上のような構成で、これを使用するときは、通常２つで１組とし、図７に示すように帽子（１３）をかぶった際、左右の耳、各々１つずつで使用する。耳上辺の帽子内縁（１２）に開放端を開き、はさみ止本体（１）はさみ込むように差し入れる。その時、ストッパー調整穴（６）と耳紐（９）を有する、ストッパー止穴取付部（８）の部分が、図６、図７に示すように、帽子内側の頭に接する面になるように取り付けられ、図４、図５で示すように耳紐（９）を耳（１１）に引っ掛けるため、耳紐（９）が下方に引っ張られる事により帽子内縁（１２）が反り返る事がないよう、スットッパー止穴取付部（８）が下方になるように取り付ける。これにより、帽子着用時の内縁の反り返りを少なくできる。図６で示すように、帽子内縁（１２）に取り付け後、図７の状態の、帽子（１３）を頭に被り、図２、図３、図４、図５で示すように耳紐（９）を耳に引っ掛けながら、自分の耳の位置に合わせ、帽子が脱げないようにするために、帽子と耳の状態や密着度を調整し耳紐（１１）先端のストッパー（１０）を使い、耳紐の長短の調整をしながらストッパー（１０）を切れ目（７）の入った、ストッパー調整穴（６）に入れ、止める。ストッパー調整穴（６）の周りに切れ目（７）がある事で、ストッパー（１０）が入りやすく、不意のはずれを防げる。頭から帽子が浮いたり、はずれない事を確認しながら図７の示すように自分のサイズ耳紐（９）の長さを調整され、取り付け位置の決まったはさみ止本体（１）を付属させた帽子を被る。はさみ止本体（１）を柔軟なゴム状にすることにより、帽子と頭の間に入れ込んでも違和感も少なく、頭を傷つける心配もなく、帽子内縁（１２）の微妙な丸みに合わせて沿うようになる。はさみ止本体（１）に突起部（５）を設ける事により、帽子内縁（１２）への固定度も増し、不用意なずれや、はずれも少ない。耳紐（９）の素材も、耳に傷や痛みを伴わないよう、耳にかけた時にも優しく密着するように柔軟素材で伸縮性のあるゴム製にし、色も透明にすることで、より目立たなくすることもでき、着色する事もできる。不使用時には取り外して持参、収納もできる。帽子との密着度を自分なりに合わせる事ができるので、帽子が不用意に脱げず、飛んで行く事も無くなるため、両手が塞がっている場合でも安心して帽子を装着する事ができる。
【図面の簡単な説明】
【０００７】
【図１】本発明の全体図
【図２】本発明の実施例の平面図
【図３】本発明の実施例の側面図
【図４】本発明を耳にかけまわし時の実施例の斜視図
【図５】本発明を耳にかけまわし止時の実施例の斜視図
【図６】本発明を帽子内縁にはさみ止時の内側から見た実施例の斜視図
【図７】本発明を帽子内縁にはさみ止時の実施例の透視図
【符号の説明】
【０００８】１      はさみ止本体
２ａ    挟持板
２ｂ    挟持板
３      連結板
４      連結部
５      突起部
６      ストッパー調整穴
７      切れ目
８      ストッパー止穴取付部
９      耳紐
１０    ストッパー
１１    耳
１２    帽子内縁
１３    帽子
【図１】
2006097215.tif 000003
【図２】
2006097215.tif 000004
【図３】
2006097215.tif 000005
【図４】
2006097215.tif 000006
【図５】
2006097215.tif 000007
【図６】
2006097215.tif 000008
【図７】
2006097215.tif 000009